(57)【特許請求の範囲】
【請求項１】
下面に開口部を有する箱形に形成されるとともに開口部側の周囲に沿って断面が略Ｌ字状の枠部が突設された器具本体を有する埋込形照明器具の包装用であって、
器具本体の開口部に対向する上面を覆う平板状の上面覆い部と；
上面覆い部から突出されて先端が器具本体の枠部の略Ｌ字状の凹部内に係合する側面覆い部と；
器具本体の開口部側を覆う平板状の開口部側覆い部と；
開口部側覆い部の周囲から折曲されて器具本体の枠部の周囲を覆う枠覆い部と；
を具備する包装装置において、
側面覆い部と対向しない側の器具本体の両側面が露出するように埋込形照明器具が包装されていることを特徴とする包装装置。
【請求項２】
側面覆い部は、上面覆い部の両端から連続して設けられている
ことを特徴とする請求項１記載の包装装置。
【請求項３】
上面部、両側面部および両端面部を有する箱形で、下面に開口部が形成されるとともに、両側面部および両端面部の開口部側の周囲に沿って枠部が突設された器具本体を有する埋込形照明器具の包装用であって、器具本体の上面部側を覆う上面覆い部、および上面覆い部の両端から折曲されて先端が器具本体の両端面部の枠部の内側に係合する端面覆い部を有する第１の包装材と；
器具本体の開口部側を覆う開口部側覆い部、および開口部側覆い部の周囲から折曲されて器具本体の枠部の周囲を覆う枠覆い部を有する第２の包装材と；
を具備する包装装置において、
端面覆い部と対向しない側の器具本体の両側面が露出するように埋込形照明器具が包装されていることを特徴とする包装装置。
【請求項４】
第１の包装材および第２の包装材の両側を通じて周囲を結束する結束材を備えている
ことを特徴とする請求項３記載の包装装置。
【請求項５】
第１の包装材および第２の包装材の両側に結束材が係合する結束材係合部が設けられている
ことを特徴とする請求項４記載の包装装置。
【請求項６】
第１の包装材は、端面覆い部の両側部分から折曲されて器具本体の両側面部に係合する側面係合部、および側面係合部から折曲されて上面覆い部と器具本体との間に挟み込まれて端面覆い部および側面係合部を折曲状態に保持する挟込部を有している
ことを特徴とする請求項３ないし５いずれか一記載の包装装置。
【請求項７】
第２の包装材の枠覆い部に、器具本体の枠部の内側に係合する取手部が設けられている
ことを特徴とする請求項３ないし６いずれか一記載の包装装置。
【請求項８】
取手部は、第２の包装材の枠覆い部の両側および両端にそれぞれ設けられている
ことを特徴とする請求項７記載の包装装置。
【発明の詳細な説明】
【０００１】
【発明の属する技術分野】
本発明は、埋込形照明器具を包装する包装装置に関する。
【０００２】
【従来の技術】
従来、埋込形照明器具は、天井面に形成された埋込孔に埋め込み設置される箱形の器具本体を有し、この器具本体の下面にランプの光を照射する開口部が形成されるとともに、器具本体の開口部側の周囲に埋込孔を覆って天井面に接合される枠部が突設されている。
【０００３】
埋込形照明器具を包装する場合、段ボール箱を用い、この段ボール箱内に例えば段ボール材や発泡スチロールなどの複数の緩衝材と一緒に埋込形照明器具を収納し、段ボール箱のフラップを閉じ合わせ、接着テープを貼り付けて止めている。つまり、段ボール箱に埋込形照明器具を収納して、埋込形照明器具全体を覆うように包装している。
【０００４】
【発明が解決しようとする課題】
しかしながら、従来のように、段ボール箱に埋込形照明器具を収納して、埋込形照明器具全体を覆うように包装した場合、段ボール材の使用量が多く、さらに、段ボール箱に埋込形照明器具を収納する際に複数の緩衝材を別に用いる必要があり、包装材の使用量が多い問題がある。特に、埋込形照明器具の場合、器具本体の枠部は天井面から露出するので傷などが付かないように確実に包装する必要があるが、枠部以外の器具本体の部分は天井面に埋め込まれてしまう部分であってその部分についても枠部と同様に包装しており、埋込形照明器具の包装に適していない問題がある。
【０００５】
また、段ボール箱の場合、開封後に、段ボール箱を解体して折り畳む必要があり、開封後の処理に手間がかかる問題がある。
【０００６】
本発明は、このような点に鑑みなされたもので、枠部を確実に包装したうえで、包装材の使用量を低減し、埋込形照明器具に適した包装ができる包装装置を提供することを目的とする。
【０００７】
【課題を解決するための手段】
請求項１記載の包装装置は、下面に開口部を有する箱形に形成されるとともに開口部側の周囲に沿って断面が略Ｌ字状の枠部が突設された器具本体を有する埋込形照明器具の包装用であって、器具本体の開口部に対向する上面を覆う平板状の上面覆い部と；上面覆い部から突出されて先端が器具本体の枠部の略Ｌ字状の凹部内に係合する側面覆い部と；器具本体の開口部側を覆う平板状の開口部側覆い部と；開口部側覆い部の周囲から折曲されて器具本体の枠部の周囲を覆う枠覆い部と；を具備する包装装置において、側面覆い部と対向しない側の器具本体の両側面が露出するように埋込形照明器具が包装されているものである。
【０００８】
そして、平板状の上面覆い部で器具本体の開口部に対向する上面を覆うとともに、上面覆い部から突出された側面覆い部の先端が器具本体の枠部の略Ｌ字状の凹部内に係合し、また、平板状の開口部側覆い部で器具本体の開口部側を覆うとともに、開口部側覆い部の周囲から折曲された枠覆い部で器具本体の枠部の周囲を覆い、側面覆い部と対向しない側の器具本体の両側面が露出するように埋込形照明器具が包装されるので、包装材の使用量を低減するとともに、枠部を確実に包装し、かつ、包装装置と器具本体とを互いに位置決めできるという埋込形照明器具に適した包装が可能となる。
【０００９】
請求項２記載の包装装置は、請求項１記載の包装装置において、側面覆い部は、上面覆い部の両端から連続して設けられているものである。
【００１０】
そして、側面覆い部を上面覆い部の両端から連続して設け、側面覆い部と上面覆い部とを一体にする。
【００１１】
請求項３記載の包装装置は、上面部、両側面部および両端面部を有する箱形で、下面に開口部が形成されるとともに、両側面部および両端面部の開口部側の周囲に沿って枠部が突設された器具本体を有する埋込形照明器具の包装用であって、器具本体の上面部側を覆う上面覆い部、および上面覆い部の両端から折曲されて先端が器具本体の両端面部の枠部の内側に係合する端面覆い部を有する第１の包装材と；器具本体の開口部側を覆う開口部側覆い部、および開口部側覆い部の周囲から折曲されて器具本体の枠部の周囲を覆う枠覆い部を有する第２の包装材と；を具備する包装装置において、端面覆い部と対向しない側の器具本体の両側面が露出するように埋込形照明器具が包装されているものである。
【００１２】
そして、第１の包装材の上面覆い部で器具本体の上面部側を覆うとともに、上面覆い部の両端から折曲された端面覆い部の先端が器具本体の両端面部の枠部の内側に係合して第１の包装材と器具本体とを互いに位置決めし、また、第２の包装材の開口部側覆い部で器具本体の開口部側を覆うとともに、開口部側覆い部の周囲から折曲された枠覆い部で器具本体の枠部の周囲を覆い、端面覆い部と対向しない側の器具本体の両側面が露出するように埋込形照明器具が包装されるので、枠部を確実に包装したうえで、包装材の使用量を低減し、埋込形照明器具に適した包装が可能となる。
【００１３】
請求項４記載の包装装置は、請求項３記載の包装装置において、第１の包装材および第２の包装材の両側を通じて周囲を結束する結束材を備えているものである。
【００１４】
そして、結束材により第１の包装材および第２の包装材の両側を通じて周囲を結束するので、器具本体を介して第１の包装材および第２の包装材を互いに結束するとともに、第１の包装材と器具本体との両側方向のずれを防止する。
【００１５】
請求項５記載の包装装置は、請求項４記載の包装装置において、第１の包装材および第２の包装材の両側に結束材が係合する結束材係合部が設けられているものである。
【００１６】
そして、第１の包装材および第２の包装材の両側に結束材が係合する結束材係合部を設けたので、結束材を結束位置で位置決めし、結束材のずれを防止する。
【００１７】
請求項６記載の包装装置は、請求項３ないし５いずれか一記載の包装装置において、第１の包装材は、端面覆い部の両側部分から折曲されて器具本体の両側面部に係合する側面係合部、および側面係合部から折曲されて上面覆い部と器具本体との間に挟み込まれて端面覆い部および側面係合部を折曲状態に保持する挟込部を有しているものである。
【００１８】
そして、第１の包装材の端面覆い部の両側部分から折曲された側面係合部が器具本体の両側面部に係合して、第１の包装材と器具本体との両側方向のずれを防止し、さらに、側面係合部から折曲された挟込部が上面覆い部と器具本体との間に挟み込まれることにより、端面覆い部および側面係合部を折曲状態に保持する。
【００１９】
請求項７記載の包装装置は、請求項３ないし６いずれか一記載の包装装置において、第２の包装材の枠覆い部に、器具本体の枠部の内側に係合する取手部が設けられているものである。
【００２０】
そして、第２の包装材の枠覆い部に、器具本体の枠部の内側に係合する取手部を設けたので、包装した器具本体を持ち運ぶ際に枠部を利用可能とし、その枠部を取手部で保護する。
【００２１】
請求項８記載の包装装置は、請求項７記載の包装装置において、取手部は、第２の包装材の枠覆い部の両側および両端にそれぞれ設けられているものである。
【００２２】
そして、取手部を第２の包装材の枠覆い部の両側および両端にそれぞれ設けたので、いずれの方向からでも把持が可能で、持ち運びや移動の際の操作性を向上可能とする。
【００２３】
【発明の実施の形態】
以下、本発明の実施の形態を図面を参照して説明する。
【００２４】
図１ないし図５に一実施の形態を示し、図１は包装装置の分解状態の斜視図、図２は包装装置の包装状態の斜視図、図３は包装装置の包装状態での一部の側面図、図４は包装装置の第１の包装材の展開図、図５は包装装置の第２の包装材の展開図である。
【００２５】
図１ないし図３において、11は埋込形照明器具で、この埋込形照明器具11は、図示しない複数の直管形蛍光ランプを使用するもので、これら直管形蛍光ランプの軸方向に対応して両端方向に長尺に形成された器具本体12を有している。
【００２６】
器具本体12は、上面部13、両側面部14および両端面部15を有する箱形で、下面に開口部16が形成されるとともに、両側面部14および両端面部15の開口部16側の周囲に沿って枠部17が突設されている。枠部17は、外方に向けて両側面部14および両端面部15から略直角に突出する縁部18、およびこの縁部18の先端から両側面部14および両端面部15に対向するように立ち上げられた立上部19を有する略Ｌ字形に形成されている。
【００２７】
器具本体12の内側には、反射板20が配設されるとともに、両端に直管形蛍光ランプを接続する複数のソケット21が配設されている。
【００２８】
そして、埋込形照明器具11は、例えば天井面に形成された埋込孔に器具本体12の上面部13から挿入して器具本体12の上部側を埋め込み、器具本体12の枠部17を埋込孔の周囲の天井板の下面に接合させた状態に埋め込み設置する。
【００２９】
次に、埋込形照明器具11を包装する包装装置31は、器具本体12を収納する風袋32、器具本体12の上下部を部分包装する第１の包装材33および第２の包装材34、これら第１の包装材33および第２の包装材34の両側を通じて周囲を結束する複数の結束材35を有している。なお、埋込形照明器具11の包装にあたっては、上面部13側を下方に向けるとともに開口部16側を上方に向け、器具本体12の上下面を反転した状態で包装する。
【００３０】
風袋32は、例えば透明なポリシートで、器具本体12を全体的に囲繞可能とする袋状に形成されており、器具本体12への埃の付着が防止される。
【００３１】
また、第１の包装材33は、例えば段ボール材やプラスチック板などで形成され、図４に示すように、器具本体12の長手方向である両端方向に長尺で上面部13側を覆う上面覆い部41を有し、この上面覆い部41の両端から折り目42を介して上方に向けて略直角に折曲されて先端が器具本体12の両端面部15の枠部17の略Ｌ字状の凹部内に係合する端面覆い部43が形成されている。端面覆い部43の先端には、中央に切欠部44が形成され、この切欠部44の両側に枠部17の内側に係合する係合部45が突出形成されている。
【００３２】
端面覆い部43の先端の両側部分から折り目46を介して折曲される両側の側面係合部47が形成され、これら両側の側面係合部47に両側が連結されて各側面係合部47の先端から折り目48を介して折曲される挟込部49が形成されている。各側面係合部47および挟込部49は端面覆い部43の内面側に向けて順次折曲されて、端面覆い部43と側面係合部47と挟込部49とが略三角形状となるように形成され、挟込部49が上面覆い部41に接合される。各側面係合部47が器具本体12の両側面部14に係合し、挟込部49が上面覆い部41と器具本体12との間に挟み込まれて端面覆い部43および側面係合部47を折曲状態に保持する。
【００３３】
上面覆い部41の両端中央には係合孔50が形成され、挟込部49の先端にはその挟込部49の先端から入れられる一対の切り込みによって切り起こし可能とする係合片51が形成されており、端面覆い部43、側面係合部47および挟込部49が折り曲げられた際に係合片51が係合孔50に係合されて折曲状態が仮止めされる。
【００３４】
上面覆い部41の両側縁部には各結束材35が係合する複数の結束材係合部52が設けられ、この結束材係合部52は、上面覆い部41の側縁部から入れられる一対の切り込みによって切り起こし可能に形成された切起片53を有し、この切起片53が結束材35を結束した際に切り起こされることにより、結束材35が係合する係合溝54が形成される。切起片53は結束材35の幅よりも広く、基端側から先端側にかけて幅広に形成されている。
【００３５】
また、第２の包装材34は、例えば段ボール材やプラスチック板などで形成され、図５に示すように、器具本体12の長手方向である両端方向に長尺で開口部16側を覆う開口部側覆い部61を有し、この開口部側覆い部61の周囲から折曲されて器具本体12の枠部17の周囲を覆う枠覆い部62が形成されている。すなわち、開口部側覆い部61の両側縁部から折り目63を介して下方へ向けて略直角に折曲されて枠部17の両側部分を覆う側面枠覆い部64が形成され、開口部側覆い部61の両端縁部から折り目65を介して下方へ向けて略直角に折曲されて枠部17の両端部分を覆う端面枠覆い部66が形成され、端面枠覆い部66の両側には折り目67を介して折曲されて側面枠覆い部64の内側に折り込まれる内側折込部68が形成されており、折曲された側面枠覆い部64と端面枠覆い部66とが接着テープ69で互いに固定されている。
【００３６】
枠覆い部62の両側面枠覆い部64および両端面枠覆い部66には、器具本体12の枠部17の内側に係合可能とする取手部70が設けられている。取手部70は、折り目71の部分を残して周囲に切り込みが入れられ、側面枠覆い部64および端面枠覆い部66の内方の枠部17側へ切り起こし可能に形成され、取手部70を切り起こすことにより指を差し込み可能とする差込孔72が形成される。
【００３７】
開口部側覆い部61の両側縁部と枠覆い部62の両側縁部との角部に、各結束材35が係合する複数の結束材係合部73が設けられている。この結束材係合部73は、開口部側覆い部61から枠覆い部62にかけた角部に平行に入れられる一対の切り込みによって切り起こし可能に形成された切起片74を有し、この切起片74が結束材35を結束した際に角部の内方へ切り起こされることにより、結束材35が係合する係合溝75が形成される。
【００３８】
また、結束材35は、厚みが薄く幅がある例えば樹脂バンドで構成されている。
【００３９】
次に、包装装置31の作用を説明する。
【００４０】
第１の包装材33を組み立てるには、各折り目42，46，48によって端面覆い部43、側面係合部47および挟込部49を順に折り曲げて端面覆い部43と側面係合部47と挟込部49とが略三角形状をなすようにし、挟込部49を上面覆い部41に接合させて挟込部49の係合片51を係合孔50に係合し、端面覆い部43および側面係合部47を折曲状態に仮止め保持する。
【００４１】
第２の包装材34を組み立てるには、折り目67を介して内側折込部68を折り曲げ、各折り目63，65を介して各側面枠覆い部64および各端面枠覆い部66を折り曲げ、各側面枠覆い部64と各端面枠覆い部66との間に接着テープ69を貼り付けて枠覆い部62を形成する。
【００４２】
そして、包装装置31により埋込形照明器具11を包装には、まず、器具本体12を風袋32で覆う。
【００４３】
風袋32で覆った器具本体12の上面部13を下方に向けるとともに開口部16を上方に向け、第１の包装材33上に載置する。このとき、器具本体12の両端面部15を第１の包装材33の両端から立ち上がる端面覆い部43間に挿入するとともに、器具本体12の枠部17の両端部分の内側に各端面覆い部43の係合部45を係合させ、かつ、器具本体12の両側面部14を両側の側面係合部47間に挿入する。器具本体12の上面部13の両端部が両端の挟込部49上に載り、この挟込部49を上面覆い部41と器具本体12との間に挟み込み、端面覆い部43および側面係合部47の組立状態を保持する。
【００４４】
第１の包装材33上に載置した器具本体12の上方から第２の包装材34を被せ、開口部側覆い部61で器具本体12の開口部16側を覆うとともに、枠覆い部62で枠部17の周囲を覆う。枠覆い部62の先端縁つまり下縁は、枠部17より下方に位置し、第１の包装材33の端面覆い部43の上端部と重合する。
【００４５】
第１の包装材33の両側の結束材係合部52および第２の包装材34の両側の結束材係合部73にわたって結束材35を掛け回して結束する。結束材35を結束することで、第１の包装材33の両側の結束材係合部52では切起片53が切り起こされて結束材35が係合溝54に係合し、また、第２の包装材34の両側の結束材係合部73では切起片74が角部の内方に切り起こされて、つまり押し込まれて結束材35が係合溝75に係合する。第１の包装材33の両側の結束材係合部52の切起片53は、結束材35の幅よりも広く、基端側から先端側にかけて幅広に形成されているので、第２の包装材34に掛け回される結束材35の部分が両端方向にずれ、結束材35が斜めに掛け回された場合でも、切起片53で結束材35を受け、結束材35が器具本体12に直接的に接するのを防止できる。
【００４６】
このように包装された器具本体12は、器具本体12の天井面に埋め込まれる部分である両側面が露出するが、天井面から露出する枠部17が第２の包装材34で確実に包装されて保護される。また、器具本体12の両側面が露出されていても、器具本体12を風袋32で覆っているので、器具本体12への埃の付着を防止できる。
【００４７】
また、包装された器具本体12を持ち運ぶ場合には、第２の包装材34の各取手部70を内方に押し込みながら差込孔72に指を差し込むことにより、取手部70が器具本体12の枠部17の内側に係合し、取手部70および枠部17を介して器具本体12を持ち上げて運ぶことができる。
【００４８】
以上のように、第１の包装材33の上面覆い部41で器具本体12の上面部13側を覆うとともに、上面覆い部41の両端から折曲された端面覆い部43の先端が器具本体12の両端面部15の枠部17の内側に係合して第１の包装材33と器具本体12とを互いに位置決めし、また、第２の包装材34の開口部側覆い部61で器具本体12の開口部16側を覆うとともに、開口部側覆い部61の周囲から折曲された枠覆い部63で器具本体12の枠部17の周囲を覆うので、枠部17を確実に包装したうえで、包装材の使用量を低減でき、埋込形照明器具11に適した包装ができる。
【００４９】
さらに、結束材35により第１の包装材33および第２の包装材34の両側を通じて周囲を結束するので、器具本体12を介して第１の包装材33および第２の包装材34を互いに結束できるとともに、第１の包装材33と器具本体12との両側方向のずれを防止できる。
【００５０】
また、第１の包装材33および第２の包装材34の両側に結束材が係合する結束材係合部52，73を設けたので、結束材35を結束位置で位置決めし、結束材35のずれを防止できる。
【００５１】
また、第１の包装材33の端面覆い部43の両側部分から折曲された側面係合部47が器具本体12の両側面部14に係合して、第１の包装材33と器具本体12との両側方向のずれを防止でき、さらに、側面係合部47から折曲された挟込部49が上面覆い部41と器具本体12との間に挟み込まれることにより、端面覆い部43および側面係合部47を折曲状態に保持できる。
【００５２】
また、第２の包装材34の枠覆い部62に、器具本体12の枠部17の内側に係合する取手部70を設けたので、包装した器具本体12を持ち運ぶ際に枠部17を利用できるとともに、その枠部17を取手部70で保護できる。さらに、取手部70を第２の包装材34の枠覆い部62の両側および両端にそれぞれ設けたので、いずれの方向からでも把持が可能で、持ち運びや移動の際の操作性を向上できる。
【００５３】
次に、図６に他の実施の形態を示し、図６は第１の包装材の展開図である。
【００５４】
第１の包装材33の上面覆い部41の両側縁部から折り目81を介して上方に向けて立ち上げられる側面覆い部82を形成することにより、器具本体12の両側面部14の上面部13側を覆って保護できる。
【００５５】
この場合、第１の包装材33の両側には、上面覆い部41の両側縁部と側面覆い部82との角部に、各結束材35が係合する複数の結束材係合部83が設けられている。この結束材係合部83は、上面覆い部41から側面覆い部82にかけた角部に平行に入れられる一対の切り込みによって切り起こし可能に形成された切起片84を有し、この切起片84が結束材35を結束した際に角部の内方へ切り起こされることにより、結束材35が係合する係合溝85が形成される。
【００５６】
【発明の効果】
請求項１記載の包装装置によれば、平板状の上面覆い部で器具本体の開口部に対向する上面を覆うとともに、上面覆い部から突出された側面覆い部の先端が器具本体の枠部の略Ｌ字状の凹部内に係合し、また、平板状の開口部側覆い部で器具本体の開口部側を覆うとともに、開口部側覆い部の周囲から折曲された枠覆い部で器具本体の枠部の周囲を覆い、側面覆い部と対向しない側の器具本体の両側面が露出するように埋込形照明器具が包装されるので、包装材の使用量を低減することができるとともに、枠部を確実に包装でき、かつ、包装装置と器具本体とを互いに位置決めできるという埋込形照明器具に適した包装ができる。
【００５７】
請求項２記載の包装装置によれば、請求項１記載の包装装置の効果に加えて、側面覆い部を上面覆い部の両端から連続して設けたので、側面覆い部と上面覆い部とを一体にできる。
【００５８】
請求項３記載の包装装置によれば、第１の包装材の上面覆い部で器具本体の上面部側を覆うとともに、上面覆い部の両端から折曲された端面覆い部の先端が器具本体の両端面部の枠部の内側に係合して第１の包装材と器具本体とを互いに位置決めし、また、第２の包装材の開口部側覆い部で器具本体の開口部側を覆うとともに、開口部側覆い部の周囲から折曲された枠覆い部で器具本体の枠部の周囲を覆い、端面覆い部と対向しない側の器具本体の両側面が露出するように埋込形照明器具が包装されるので、枠部を確実に包装したうえで、包装材の使用量を低減でき、埋込形照明器具に適した包装ができる。
【００５９】
請求項４記載の包装装置によれば、請求項３記載の包装装置の効果に加えて、結束材により第１の包装材および第２の包装材の両側を通じて周囲を結束するので、器具本体を介して第１の包装材および第２の包装材を互いに結束できるとともに、第１の包装材と器具本体との両側方向のずれを防止できる。
【００６０】
請求項５記載の包装装置によれば、請求項４記載の包装装置の効果に加えて、第１の包装材および第２の包装材の両側に結束材が係合する結束材係合部を設けたので、結束材を結束位置で位置決めし、結束材のずれを防止できる。
【００６１】
請求項６記載の包装装置によれば、請求項３ないし５いずれか一記載の包装装置の効果に加えて、第１の包装材の端面覆い部の両側部分から折曲された側面係合部が器具本体の両側面部に係合して、第１の包装材と器具本体との両側方向のずれを防止でき、さらに、側面係合部から折曲された挟込部が上面覆い部と器具本体との間に挟み込まれることにより、端面覆い部および側面係合部を折曲状態に保持できる。
【００６２】
請求項７記載の包装装置によれば、請求項３ないし６いずれか一記載の包装装置の効果に加えて、第２の包装材の枠覆い部に、器具本体の枠部の内側に係合する取手部を設けたので、包装した器具本体を持ち運ぶ際に枠部を利用できるとともに、その枠部を取手部で保護できる。
【００６３】
請求項８記載の包装装置によれば、請求項７記載の包装装置の効果に加えて、取手部を第２の包装材の枠覆い部の両側および両端にそれぞれ設けたので、いずれの方向からでも把持が可能で、持ち運びや移動の際の操作性を向上できる。
【図面の簡単な説明】
【図１】本発明の一実施の形態を示す包装装置の分解状態の斜視図である。
【図２】同上包装装置の包装状態の斜視図である。
【図３】同上包装装置の包装状態での一部の側面図である。
【図４】同上包装装置の第１の包装材の展開図である。
【図５】同上包装装置の第２の包装材の展開図である。
【図６】本発明の他の実施の形態を示す包装装置の第１の包装材の展開図である。
【符号の説明】
11    埋込形照明器具
12    器具本体
13    上面部
14    側面部
15    端面部
16    開口部
17    枠部
31    包装装置
33    第１の包装材
34    第２の包装材
35    結束材
41    上面覆い部
43    端面覆い部
47    側面係合部
49    挟込部
52    結束材係合部
61    開口部側覆い部
62    枠覆い部
70    取手部
73    結束材係合部
83    結束材係合部
【図１】
0003801429.tif 000002
【図２】
0003801429.tif 000003
【図３】
0003801429.tif 000004
【図４】
0003801429.tif 000005
【図５】
0003801429.tif 000006
【図６】
0003801429.tif 000007